(57)【要約】      （修正有）【課題】向上した肌感触を有するＢｉＯＣｌ又はＢＮ粉末を含有する顔料混合物を提供する。【解決手段】成分Ａがオキシ塩化ビスマス（ＢｉＯＣｌ）又は窒化ホウ素（ＢＮ）を含み、成分Ｂが少なくとも１つの金属石鹸で処理された合成フレーク又は少なくとも１つの金属石鹸で処理された鉱物フレークを含む、少なくとも２つの成分を含むことを特徴とする、顔料混合物であり、合成フレークが、マイカ、シリカ、アルミナ、ホウケイ酸塩、アルミノケイ酸塩の群から選択され、鉱物フレークが、マイカ、粘土、タルク、及び／又はカオリンから選択される顔料混合物。【選択図】なし【特許請求の範囲】
【請求項１】
成分Ａがオキシ塩化ビスマス（ＢｉＯＣｌ）又は窒化ホウ素（ＢＮ）を含み、成分Ｂが少なくとも１つの金属石鹸で処理された合成フレーク又は少なくとも１つの金属石鹸で処理された鉱物フレークを含む、少なくとも２つの成分を含むことを特徴とする、顔料混合物。
【請求項２】
成分Ａがオキシ塩化ビスマス（ＢｉＯＣｌ）であることを特徴とする、請求項１に記載の顔料混合物。
【請求項３】
成分Ｂが、マイカ、シリカ、アルミナ、ホウケイ酸塩、アルミノケイ酸塩の群から選択される合成フレークを含むことを特徴とする、請求項１又は２に記載の顔料混合物。
【請求項４】
成分Ｂが、マイカ、粘土、タルク、及び／又はカオリンから選択される鉱物フレークを含むことを特徴とする、請求項１から３のいずれか一項に記載の顔料混合物。
【請求項５】
成分Ｂが金属石鹸で処理された天然又は合成マイカフレークを含むことを特徴とする、請求項１から４のいずれか一項に記載の混合物。
【請求項６】
成分Ｂが粒径の範囲が１〜１００μｍである合成又は鉱物フレークを含むことを特徴とする、請求項１から５のいずれか一項に記載の混合物。
【請求項７】
成分Ｂが粒径の範囲が１〜１００μｍである合成又は天然マイカフレークを含むことを特徴とする、請求項１から６のいずれか一項に記載の混合物。
【請求項８】
金属石鹸が、ステアリン酸又は分岐鎖若しくは非直鎖イソステアリン酸のアルカリ土類金属塩、又はそれらの混合物から選択されることを特徴とする、請求項１から７のいずれか一項に記載の顔料混合物。
【請求項９】
ステアリン酸のアルカリ土類金属塩が、ステアリン酸マグネシウム、ステアリン酸バリウム、ステアリン酸亜鉛、ステアリン酸アルミニウム、ステアリン酸カルシウム、又はそれらの混合物から選択されることを特徴とする、請求項１から８のいずれか一項に記載の顔料混合物。
【請求項１０】
金属石鹸が、水素化したリシノール酸塩、アラキジン酸塩、パルミチン酸塩、オレイン酸塩、ミリスチン酸塩、ラウリン酸塩、カプリン酸塩、若しくはカプリル酸塩、又はそれらの混合物から選択されることを特徴とする、請求項１から９のいずれか一項に記載の顔料混合物。
【請求項１１】
成分Ｂが、ステアリン酸マグネシウム又はステアリン酸亜鉛で処理された天然又は合成マイカフレークを含むことを特徴とする、請求項１から１０のいずれか一項に記載の混合物。
【請求項１２】
成分Ａ及び成分Ｂが１０：９０〜９０：１０の重量比で混合されることを特徴とする、請求項１から１１のいずれか一項に記載の顔料混合物。
【請求項１３】
成分Ａ及び成分Ｂが３０：７０〜７０：３０の重量比で混合されることを特徴とする、請求項１から１２のいずれか一項に記載の顔料混合物。
【請求項１４】
成分Ａ及び成分Ｂに加えて、化粧品グレードの酸化亜鉛、二酸化チタン、酸化鉄、ウルトラマリン顔料、マンガンバイオレット、カルミン、酸化クロム緑、紺青、又は、ＦＤ＆Ｃ及びＤ＆Ｃ着色剤などの有機顔料からなる群から選ばれる他の粉末を追加の成分としてさらに含むことを特徴とする、請求項１から１３のいずれか一項に記載の顔料混合物。
【請求項１５】
成分Ａ及び成分Ｂ並びに場合により他の粉末は、下記：
−  ６８．６％合成又は天然マイカ＋１．４％ステアリン酸マグネシウム（＝成分Ｂ）＋３０％ＢｉＯＣｌ（＝成分Ａ）
又は
−  ６８．６％合成又は天然マイカ＋１．４％ステアリン酸マグネシウム（＝成分Ｂ）＋１５％ＢｉＯＣｌ（＝成分Ａ）＋１５％酸化亜鉛
又は
−  ６８．６％合成又は天然マイカ＋１．４％ステアリン酸マグネシウム（＝成分Ｂ）＋２５％ＢｉＯＣｌ（＝成分Ａ）＋５％酸化亜鉛
又は
−  ４９％合成又は天然マイカ＋１％ステアリン酸マグネシウム（＝成分Ｂ）＋５０％ＢｉＯＣｌ（＝成分Ａ）
又は
−  ４９％合成又は天然マイカ＋１％ステアリン酸マグネシウム（＝成分Ｂ）＋４５％ＢｉＯＣｌ（＝成分Ａ）＋５％酸化亜鉛、
ただし全ての％は重量％である、
のように混合されることを特徴とする、請求項１から１４のいずれか一項に記載の顔料混合物。
【請求項１６】
成分Ａ及び成分Ｂに加えて、吸収剤、収斂剤、抗菌物質、抗酸化剤、制汗剤、消泡剤、フケ防止活性成分、静電気防止剤、バインダー、生物系添加剤、漂白剤、キレート剤、防臭剤、皮膚軟化剤、乳化剤、乳化安定剤、染料、保湿剤、フィルム形成剤、フィラー、香気物質、香味物質、防虫剤、保存料、腐食防止剤、化粧品オイル、溶媒、酸化剤、植物性成分、緩衝物質、還元剤、界面活性剤、高圧ガス、乳白剤、紫外フィルター及び紫外線吸収剤、変性剤、粘度調節剤、香料、及びビタミンの群から選択される少なくとも１つの成分をさらに含むことを特徴とする、請求項１から１５のいずれか一項に記載の顔料混合物。
【請求項１７】
成分Ａ及び成分Ｂ及び場合によりさらなる成分を混合するか、又は成分Ａ及び鉱物若しくは合成フレーク及び金属石鹸及び場合によりさらなる成分を水中懸濁物として混合し次いで懸濁物を脱水及び乾燥させることを特徴とする、請求項１から１６のいずれか一項に記載の顔料混合物の製造方法。
【請求項１８】
化粧品配合物における、請求項１から１６のいずれか一項に記載の顔料混合物の使用。
【請求項１９】
請求項１から１６のいずれか一項に記載の顔料混合物を含む配合物。
【発明の詳細な説明】
【技術分野】
【０００１】
本発明は、成分Ａがオキシ塩化ビスマス（ＢｉＯＣｌ）又は窒化ホウ素（ＢＮ）を含み、成分Ｂが少なくとも１つの金属石鹸で処理された合成フレーク又は少なくとも１つの金属石鹸で処理された鉱物フレークを含む、少なくとも２つの成分からなる顔料混合物、及び特に化粧品配合物におけるこの顔料混合物の使用に関する。
【０００２】
オキシ塩化ビスマスの性能の特徴は周知である。ＢｉＯＣｌ粉末及び真珠光沢顔料は、例えば独国特許第１００３３７７号、ＵＳ２９７５０５３、ＤＥ２４１１９６６、ＥＰ０４９６６８６Ｂ１、及びＤＥ４３０５２８０Ａ１に開示されている。オキシ塩化ビスマスは、層状結晶構造のフラクタル伸長（ｆｒａｃｔａｌ  ｅｘｔｅｎｓｉｏｎ）である粒子のフレーク構造のために、流体の潤滑性に類似した非常に柔らかく滑りのよい肌感触、疎水性（撥水）及び／又は親油性（油への親和性）、肌への高い付着性、並びに流体のバインダーを必要とせずに粒子を圧縮した形態で保持する圧縮能力及び結着作用など、非常に望ましい固有の特性を有する。これは粒径（ｐａｒｔｉｃｌｅ  ｓｉｚｅ）に応じて白色又はオフホワイトの粉末である。これはまた、高屈折率の滑らかなフレークからの増大した鏡面反射によって、繻子のような光沢をもたらすこともできる。オキシ塩化ビスマスは多くの場合、これらの触覚及び視覚特性のために、他の成分と組み合わされる。
【０００３】
窒化ホウ素もまた周知である。これはグラファイト様構造を有し、乾燥粉末においてオキシ塩化ビスマスに類似した優れた潤滑性をもたらす。窒化ホウ素は、低屈折率及び低密度に起因する利点を有する。隠蔽力は比較的低く、このことは、着色剤と組み合わせた場合に色の強さが透けて見えることを意味する。その上、肌感触の改善という点におけるペイアウト（ｐａｙｏｕｔ）が非常に良い、すなわち、比表面積が比較的大きい。しかし窒化ホウ素は、特に微粒子サイズにおいては、屈折率が低くより小さいフレークから光が散乱されるために、さほど高い光沢をもたらさない。反対に、粗粒子サイズの窒化ホウ素フレークは、それらが未処理の（かさ増しされていない（ｕｎｅｘｔｅｎｄｅｄ））材料のときにはより光沢感がありキラキラ光って見えるが、肌において粗くザラザラした感触もある。
【０００４】
化粧品粉末の（特にフレーク又は板の形状の粒子の）改善された触覚特性をもたらす処理として、金属石鹸（脂肪酸のアルカリ土類塩）を使用することは、例えばＢｒｅｎｎｔａｇ，Ｃａｒｄｒｅ，Ｋｏｂｏ，Ｍｉｙｏｓｈｉ／ＵＳ  Ｃｏｓｍｅｔｉｃｓなどの製品資料で周知である。金属石鹸はまた、純粋な固体として化粧品配合物中に添加することができる市販の成分としても周知である。これはワックスと比較して同様の柔らかさ、疎水性、及び流動性をもたらすが、性能においてはなお際だっている。そのようなものとして、混合したステアリン酸マグネシウムによって与えられる向上した肌感触の恩恵は、粉末の粒径が比較的大きいために金属石鹸が密接に混ざらないことによって制限を受ける。
【０００５】
その上、粒子間の接着を向上させるために水性で沈着させた（ｄｅｐｏｓｉｔｅｄ）金属石鹸をバインダーとして使用することが、ＵＳ４８６３８００、ＵＳ３６４７４９２、ＵＳ３６５６９８２で公知である。オキシ塩化ビスマス、酸化鉄、及びマイカが、沈殿させた金属石鹸により互いに結びつけられるとして特許請求されている。最新技術には、色素性の酸化鉄、酸化亜鉛、又は二酸化チタンなどの非フレーク状の粒子形状の粉末を金属石鹸により処理する、限られた肌感触の向上が含まれる。
【０００６】
Ｃｏｓｍｅｔｉｃｓ  ＆  Ｔｏｉｌｅｔｒｉｅｓ、第１１５巻、２０００年８月、４５−５１ページにおいて、セリサイトをミリスチン酸マグネシウムで処理することにより、摩擦減少の向上がもたらされることが開示されている。
【０００７】
湿式粉砕したマイカの、化粧品用途におけるその利益（肌感触など）への適合性が開示されている。反対に、「Ｅｖａｌｕａｔｉｏｎ  ｏｆ  Ｆｅｅｌ：Ｌａｕｒｏｙｌ  Ｌｙｓｉｎｅ  Ｔｒｅａｔｅｄ  Ｐｉｇｍｅｎｔｓ」Ｃｏｓｍｅｔｉｃｓ  ａｎｄ  Ｔｏｉｌｅｔｒｉｅｓにて刊行、８５−９０ページ、（１９９２）では、平均サイズが８．５μｍ以下である微細なマイカが、より大きいフレークのサイズと比較して肌感触において劣っていると述べられている。
【０００８】
本発明の目的は、それぞれの施用系（ａｐｐｌｉｃａｔｉｏｎ  ｓｙｓｔｅｍ）中にうまく取り込むことができその中で安定である、向上した肌感触を有するＢｉＯＣｌ又はＢＮ粉末を含有する顔料混合物を提供することであった。その上、市販の既存製品と比較して、化粧品成分としての滑りがよく滑らかで柔らかい肌感触が改善されている。他の利点としては、とりわけ重量当たりをベースとする、改善されたペイアウト及び圧縮性が挙げられる。
【０００９】
驚くことに、金属石鹸（例えばステアリン酸マグネシウム）で処理したフレーク形態の天然又は合成粉末（例えばマイカフレーク）を、オキシ塩化ビスマス又は窒化ホウ素と混合すると、２つの種類のフレーク粒子が互いに挿入されること（ｉｎｔｅｒｌｅａｆｉｎｇ）によって、相乗効果があることがわかった。この混合物の肌感触は、いずれかの単独の成分と同じか又はそれを上回る。加えて、より高屈折率のＢｉＯＣｌをより低屈折率のマイカで置き換えた場合、驚くことに光沢は減少しない。つまり、オキシ塩化ビスマスのレベルが低下するほど、混合物はより光沢が減少するはずである。反対に、オキシ塩化ビスマスの量が減少すると共に、光沢は増加する。
【００１０】
本発明はこのように、成分Ａがオキシ塩化ビスマス（ＢｉＯＣｌ）又は窒化ホウ素（ＢＮ）を含み、成分Ｂが少なくとも１つの金属石鹸で処理された合成フレーク又は少なくとも１つの金属石鹸で処理された鉱物フレークを含む、少なくとも２つの成分からなる顔料混合物に関する。
【００１１】
本明細書において、鉱物フレークは天然フレークとして定義される。
【００１２】
成分Ａは好ましくはＢｉＯＣｌ顔料である。成分Ｂ（好ましくは金属石鹸で処理したマイカフレークを含む）を、成分Ａ（好ましくは、ＢｉＯＣｌ顔料）と共に混合すると、施用系に増大した光沢を与えることが可能となり、単独のＢｉＯＣｌと比較して化粧品において改善された肌感触を示す。同時に、混合物は、ほぼ見えない状態から強力な隠蔽までのその可変の（すなわち制御可能な）隠蔽力によって特色づけられる。加えて、最終製品の機能性が改善される。本発明による混合物を含む配合物は、優れた肌感触、高い肌親和性、長持続特性（ｌｏｎｇ−ｗｅａｒ  ｐｒｏｐｅｒｔｉｅｓ）、可変の隠蔽力（必要であれば）、光沢、最終製品への取り込みの容易性、及び比較的高い耐光性を有する。
【００１３】
少量の少なくとも１つの金属石鹸、例えばステアリン酸マグネシウム（例えば湿式粉砕マイカ粉末９８重量％あたり２重量％）の組成は、ステアリン酸塩の密着した水性の沈着物としてマイカ表面に結合させ、続いて１０〜９０％のオキシ塩化ビスマス粉末と混合させると、予想外に良好な肌感触（滑り、またの名を潤滑性、及びクッション性、またの名を圧縮降伏（ｃｏｍｐｒｅｓｓｉｖｅ  ｙｉｅｌｄ））を有し、これは純粋なオキシ塩化ビスマス粉末の肌感触に匹敵するか又はそれを超える。
【００１４】
本明細書において、別途断りの無い限り、組成に関する百分率、比、部は質量基準である。
【００１５】
続いて、これらの顔料混合物の肌感触は、驚くことに混合物の比率とは無関係に、個々の成分を上回る改善された上記の特性を示した。
【００１６】
少なくとも１つの金属石鹸（例えばステアリン酸マグネシウム）で処理された天然又は合成フレーク（例えばマイカフレーク）の新規性は、２つの要因の組み合わせに由来する。すなわち：
［１］上記のような、微細なステアリン酸マグネシウムの粒子が密接に混ざること
及び、
［２］マイカフレークの薄さ、滑らかさ、及び粒径分布
である。
【００１７】
重要な特色は、柔らかさ及び非極性（ｎｏｎ−ｐｏｌａｒｉｔｙ）によって特徴づけられる、密接に沈着させたステアリン酸マグネシウムと、剛性（すなわち形状保持性）でありながらしかも可撓性（ねじり応力によって曲がる）であることによって特徴づけられるマイカフレークとの組み合わせである。ペグマタイトマイカ（ｐｅｇｍａｔｉｔｅ  ｍｉｃａ）などの適切な鉱床（ｍｉｎｅｒａｌ  ｄｅｐｏｓｉｔ）に由来する湿式粉砕マイカを使用するのが好ましい。片岩又はセリサイト型の微細マイカははるかに望ましくない。乾式粉砕マイカは比較的好適でない。あるいは、束状のマイカを慎重に成長させその後湿式粉砕することを含めて、合成マイカ（例えばフルオロフロゴパイト（ｆｌｕｏｒｏｐｈｌｏｇｏｐｉｔｅ））を適切に調製することもまた、非常に適切であり得る。マイカフレークはきっと高アスペクト比（すなわち、横方向の幅又は直径に比べて厚みが非常に薄い）によって特徴づけるであろう。フレークはきっと、比較的表面の段差及び縁部のほつれがないであろう。微細マイカフレークを典型的には水簸（ｅｌｕｔｒｉａｔｉｏｎ）により十分に無くなるまで除去することにより、マイカフレーク分がきっと精製されるであろう。他のいずれの微細な機械的不純物もまた、除去することが重要である。湿式粉砕マイカの記載に関して、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ第４版、第１６巻、５５６ページ、（１９９１）を参照のこと。
【００１８】
本発明では処理されたマイカのいくつかの際だった特色がある。マイカフレークの性質は重要であり、単なる脂肪酸の塩よりもむしろ界面活性剤又はトリグリセリドエステルのバージョンを必要とすることがない。好ましい組成物は、界面活性剤を必要としない。好ましくは湿式粉砕品質のマイカ上にステアリン酸マグネシウム処理した、好ましくは２〜２０μｍ、さらに好ましくは２〜１０μｍの微粒子径であるマイカは、最も良い感触のグレードのオキシ塩化ビスマスと同じように良好な肌感触を有する。Ｍｉｙｏｓｈｉ、Ｋｏｂｏ、Ｃａｒｄｒｅ、及びＢｒｅｎｎｔａｇ  ＢＳＩはすべて、いわゆる金属石鹸（例えばミリスチン酸マグネシウム）で処理したマイカをすでに提案しているが、我々は本発明の実施形態によりもたらされる肌感触に対抗するものをいまだ見つけていない。
【００１９】
本発明は同様に、化粧品組成物における本発明による混合物の使用に関する。
【００２０】
各成分Ａ及びＢの比を変化させることにより、光沢及び不透明性に関する選択の幅広い選択範囲を提供することができる。加えて、単独のオキシ塩化ビスマス若しくはＢＮ（＝成分Ａ）か、又は単独の天然若しくは合成フレーク（例えばマイカ）よりもはるかに光沢のある粉末を作ることが可能である。
【００２１】
成分Ａ対成分Ｂの比は好ましくは１０：９０〜９０：１０、特に好ましくは３０：７０〜７０：３０である。好ましい実施形態において、ＢｉＯＣｌ（成分Ａ）対処理されたマイカフレーク（成分Ｂ）の比は好ましくは１０：９０〜９０：１０、特に好ましくは３０：７０〜７０：３０である。
【００２２】
粉末ＢｉＯＣｌ製品は市販されており、例えばＭｅｒｃｋ  ＫＧａＡ（独国）、及びＲｏｎａ、ＥＭＤ  Ｃｈｅｍｉｃａｌｓより、Ｂｉｒｏｎ（登録商標）、Ｂｉｔａｌ（登録商標）、Ｍｉｂｉｒｏｎ（登録商標）、及びＲｏｎａｆｌａｉｒ（商標）の商標名で、並びに、ＢＡＳＦよりＰｅａｒｌ  Ｇｌｏ、Ｂｉ−Ｌｉｔｅ、Ｍｅａｒｌｉｔｅの商標名で販売されている。
【００２３】
多様な製造が可能であるため、艶なしから光沢性まで、及び透明から隠蔽性までの、様々な光学特性を有するＢｉＯＣｌ粉末を得ることができる。個々のＢｉＯＣｌ顔料粒子のサイズは１〜１００μｍ、好ましくは１〜４０μｍ、とりわけ２〜３５μｍである。粒子はまた小さい凝集物状であってもよく、これは１００μｍまでであってもよいが、好ましくは７５μｍ未満である。ＢｉＯＣｌ粉末は場合により、金属石鹸によって、又はシリコーン若しくは他の疎水性物質などの他の処理剤によって処理することができる。
【００２４】
成分Ｂは好ましくはマイカ、シリカ、アルミナ、ホウケイ酸塩、アルミノケイ酸塩の群から選択される合成フレーク、あるいはマイカ、粘土（ｃｌａｙ）、タルク、及び／又はカオリンから選択される鉱物フレークである。特に好ましい成分Ｂは、金属石鹸で処理した天然又は合成マイカフレークを含む。
【００２５】
好ましい混合物は、ステアリン酸マグネシウム、ステアリン酸亜鉛、ステアリン酸アルミニウム、又はステアリン酸カルシウムなどの、ステアリン酸のアルカリ土類金属塩で処理したマイカを含む。ステアリン酸塩以外の、他の脱プロトン化した脂肪酸アニオン成分としては、イソステアリン酸塩（分岐鎖又は非直鎖）、水素化リシノール酸塩（別名ヒドロキシステアリン酸塩）、アラキジン酸塩、パルミチン酸塩、オレイン酸塩、ミリスチン酸塩、ラウリン酸塩、カプリン酸塩、又はカプリル酸塩が挙げられるであろう。
【００２６】
ステアリン酸のアルカリ土類金属塩の、好ましいステアリン酸塩は、ステアリン酸マグネシウム、ステアリン酸カルシウム、ステアリン酸バリウム、ステアリン酸亜鉛、及びステアリン酸アルミニウムから選択される。ステアリン酸マグネシウム又はステアリン酸亜鉛で処理したマイカフレークが特に好ましい。
【００２７】
本発明による顔料混合物は、成分Ａ及び成分Ｂ並びに場合によりさらなる成分を混合する方法で調製される。
【００２８】
好ましい処理方法は、水性析出（ａｑｕｅｏｕｓ  ｐｒｅｃｉｐｉｔａｔｉｏｎ）により金属石鹸を沈着させて、天然又は合成フレーク（例えばマイカフレーク）との密接な混合物を水中懸濁物として得ることである。処理した懸濁物を、次に脱水及び乾燥させる。析出は、溶液中の多価塩を石鹸のナトリウム塩の温水溶液に加えることによって生じる。石鹸のナトリウム塩はまた、脂肪酸の分散液を水酸化ナトリウムで中和することにより、ｉｎ  ｓｉｔｕで事前に生成させることもできる。別の重要ではない選択肢は、成分Ａ（例えばＢｉＯＣｌ）を含む天然又は合成フレーク（例えばマイカフレーク）の懸濁物、及び場合により他の不溶性成分に、金属石鹸を析出させることである。
【００２９】
鉱物又は合成フレーク、好ましくはマイカフレークの表面上の金属石鹸、好ましくはイソステアリン酸塩を含めたステアリン酸塩又はステアリン酸塩の混合物の量は、鉱物又は合成フレークの総重量を基準として、０．１〜１０重量％、好ましくは０．５〜５重量％、特に好ましくは１〜３重量％である。
【００３０】
特に好ましい混合物は、ＢｉＯＣｌ＋ステアリン酸マグネシウムで被覆したマイカを含み、これには下記の代表的組成物が含まれる：
−  ６８．６％合成又は天然マイカ＋１．４％ステアリン酸マグネシウム＋３０％ＢｉＯＣｌ
−  ６８．６％合成又は天然マイカ＋１．４％ステアリン酸マグネシウム＋１５％ＢｉＯＣｌ＋１５％酸化亜鉛
−  ６８．６％合成又は天然マイカ＋１．４％ステアリン酸マグネシウム＋２５％ＢｉＯＣｌ＋５％酸化亜鉛
−  ４９％合成又は天然マイカ＋１％ステアリン酸マグネシウム＋５０％ＢｉＯＣｌ
−  ４９％合成又は天然マイカ＋１％ステアリン酸マグネシウム＋４５％ＢｉＯＣｌ＋５％酸化亜鉛。
【００３１】
成分Ｂの好適なフレークは、一般に厚みが０．２〜２μｍ、とりわけ０．３〜１．０μｍである。他の２つの寸法における伸張（ｅｘｔｅｎｓｉｏｎ）は、通常１〜１００μｍ、好ましくは２〜５０μｍ、とりわけ２〜２０μｍである。
【００３２】
合成又は天然由来である、血小板形のマイカ基材（ｐｌａｔｅｌｅｔ−ｓｈａｐｅｄ  ｍｉｃａ  ｓｕｂｓｔｒａｔｅｓ）が特に好適である。湿式粉砕フレークであるマイカ基材が特に好ましい。好適なマイカフレークは一般に、厚みが０．２〜２μｍ、とりわけ０．３〜１．０μｍである。他の２つの寸法における伸張は、通常１〜１００μｍ、好ましくは２〜５０μｍ、とりわけ２〜２０μｍである。
【００３３】
湿式粉砕は、粗粒マイカフレークの濃厚ペーストを、高剪断及び低衝撃下で摩砕（ｍｉｌｌｉｎｇ）にかけることにより成される。高度にひずんだ形状のフレークを製造する乾式摩砕とは異なり、湿式粉砕のアウトプットは、極めて表面積が大きいだけでなく非常に均一な形状（段差の変形及び縁部の傷みが最小限で、厚み及び滑らかさにおいて均一である）でもある薄く均一なフレークをもたらす。非常に薄いながらも滑らか、均一、かつ規則的な湿式粉砕マイカフレークが、優れた触覚性能（肌感触、滑り又は潤滑性、及び柔軟なクッション性）が重要である化粧品での使用において好ましい。
【００３４】
顔料混合物は多目的でもあり、処理済み又は未処理の酸化亜鉛、二酸化チタン、酸化鉄、及びシリカ、並びに天然及び合成由来の有機又は無機着色剤などの、他の成分に適応できる。好ましい着色剤としては、カルミン、紺青又は酸化クロム緑、ウルトラマリン、マンガンバイオレット、ＦＤ＆Ｃ及びＤ＆Ｃ着色剤が挙げられる。これらの添加剤は、そのような添加剤がフレークではないとしても、混合物の触覚特性に最小限の影響しか与えない。このタイプの混合物の肌感触は非常になじみが良い。
【００３５】
本発明による混合物は扱いが容易でシンプルである。この混合物は、粉末の形態で単純にかき混ぜ入れることにより施用系の中に組み込むことができる。混合物の複雑な粉砕及び分散は不要であり、場合によっては逆効果である。
【００３６】
施用系中（好ましくは化粧品配合物中）の混合物の濃度は、一般に７０重量％まで、好ましくは５０重量％までである。これは一般に具体的な用途によって決まる。
【００３７】
本発明による顔料混合物は、カラー／装飾用、及びパーソナルケア用の化粧品において有利に使用される。粉末形態のＢｉＯＣｌ又はＢＮを含む本発明による混合物は、とりわけ、アイシャドー、ルージュ、化粧スティック、ペンシル、及びあらゆる種類のメーキャップパウダーに用いられる。化粧品は、特に興味深い触覚及び／又は色彩の効果により特色づけられる。カラー化粧品において、本発明による混合物は、粉末を肌へ特に均一に塗布することを可能にし、肌感触の改善をもたらす。加えて、肌の付着が改善され、固形パウダーの結着が高まる。さらに、化粧品配合物中の本発明による混合物は、滑り及びクッション性、並びに施用及び分配の容易さ、並びに透明から隠蔽性まで及び／又は艶なしからつやつやした光沢までの可変の隠蔽力における改善を示す。
【００３８】
顔料混合物はさらに、市販の最新技術のフィラーと混合することができる。挙げることができるフィラーは、例えば、被覆していない天然及び合成マイカ、ガラスビーズ又はガラス粉末、ナイロン粉末、ポリメチルメタクリラート粉末、純粋又は充填剤入りメラミン樹脂、タルク、ガラス、カオリン、アルミニウム、マグネシウム、カルシウム、若しくは亜鉛の酸化物又は水酸化物、ＢｉＯＣｌ、硫酸バリウム、硫酸カルシウム、炭酸カルシウム、炭酸マグネシウム、炭素、窒化ホウ素、並びにこれらの物質の物理的又は化学的な組み合わせである。フィラーの粒子形状に関する制約はない。必要に応じて、これは例えば、フレーク形、球形、針状、結晶性、又はアモルファスであってもよい。
【００３９】
本発明による顔料混合物は当然ながら、配合物中でいかなる種類の化粧品原料及び補助剤とも組み合わせることができる。これらとしては、とりわけ、オイル、脂肪、ワックス、フィルム形成剤（ｆｉｌｍ  ｆｏｒｍｅｒ）、界面活性剤、抗酸化剤（例えば、ビタミンＣ又はビタミンＥなど）、安定剤、香気増強剤（ｏｄｏｕｒ  ｉｎｔｅｎｓｉｆｉｅｒ）、シリコーンオイル、乳化剤、溶媒（例えば、エタノール又は酢酸エチル又は酢酸ブチルなど）、保存料、及び一般に塗布特性を決定する補助剤（例えば、ベントナイト、ヘクトライト、二酸化ケイ素、ケイ酸カルシウム、ゼラチン、高分子量炭水化物、及び／又は表面活性補助剤などの、例えば、増粘剤及びレオロジー添加剤など）などが挙げられる。
【００４０】
本発明による顔料混合物を含む配合物は、親油性、親水性、又は疎水性のタイプに属していてもよい。不連続な水性及び非水性相を有する不均一な配合物の場合、本発明による顔料混合物は、それぞれの場合で、２つの相のうち１つのみに存在するか、あるいは両方の相にわたって分配されていてもよい。
【００４１】
化粧品配合物のｐＨは１〜１４の間、好ましくは２〜１１の間、及び特に好ましくは５〜８の間であってもよい。
【００４２】
本発明による顔料混合物はさらに、化粧品活性成分と組み合わせてもよい。好適な活性成分は、例えば、防虫剤、無機紫外フィルター、例えば、ＴｉＯ2、紫外線Ａ／ＢＣ保護フィルター（例えばＯＭＣ、Ｂ３、及びＭＢＣ）など（カプセル化した形態でもよい）、老化防止活性成分、ビタミン及びその誘導体（例えばビタミンＡ、Ｃ、Ｅなど）、セルフタンニング剤（例えば、とりわけ、ＤＨＡ、エリスルロース）、並びにさらなる化粧品活性成分、例えば、ビサボロール、ＬＰＯ、ＶＴＡ、エクトイン、エンブリカ（ｅｍｂｌｉｃａ）、アラントイン、バイオフラボノイド、及びそれらの誘導体である。
【００４３】
有機紫外フィルターは一般に０．５〜１０重量％、好ましくは１〜８％の量、無機フィルターは０．１〜３０％の量で化粧品配合物中に組み込まれる。
【００４４】
加えて、本発明による顔料混合物は、さらなる従来型の肌保護又は肌ケアの活性成分を含んでいてもよい。これらは原則として、当業者に公知の任意の活性成分であってもよい。特に好ましい活性成分は、ピリミジンカルボン酸及び／又はアリールオキシムである。
【００４５】
化粧品施用のうちで特に言及すべきは、エクトイン及びエクトイン誘導体を、老化した肌、乾燥肌、又は炎症を起こした肌のケアに使用することである。そのため、欧州特許出願ＥＰ−Ａ−０６７１１６１はとりわけ、エクトイン及びヒドロキシエクトインを、パウダー、石鹸、界面活性剤含有クレンジング製品、リップスティック、ルージュ、メーキャップ品、ケアクリーム、及び日焼け止め組成物などの化粧品調製物に使用することを記載している。
【００４６】
挙げることができる化粧品配合物の施用形態は、例えば、溶液、懸濁液、エマルション、ＰＩＴ  エマルション、ペースト、軟膏、ジェル、クリーム、ローション、パウダー、石鹸、界面活性剤含有のクレンジング組成物、オイル、エアロゾル、及びスプレーである。他の施用形態の例は、スティック、シャンプー、及びシャワー調製物である。任意の所望の慣例的な賦形剤、補助剤、及び必要であればさらなる活性成分を調整物に添加してもよい。
【００４７】
軟膏、ペースト、クリーム、及びジェルは、慣例的な賦形剤、例えば動物性及び植物性脂肪、ワックス、パラフィン、デンプン、トラガカント、セルロース誘導体、ポリエチレングリコール、シリコーン、ベントナイト、シリカ、タルク、及び酸化亜鉛、又はこれらの物質の混合物を含んでいてもよい。
【００４８】
パウダー及びスプレーは、慣例的な賦形剤、例えばラクトース、タルク、シリカ、水酸化アルミニウム、ケイ酸カルシウム、及びポリアミド粉末、又はこれらの物質の混合物を含んでいてもよい。スプレーは、慣例的な高圧ガス、例えばクロロフルオロカーボン、プロパン／ブタン、又はジメチルエーテルをさらに含んでいてもよい。
【００４９】
溶液及びエマルションは、溶媒、可溶化剤、及び乳化剤などの慣例的な賦形剤、例えば水、エタノール、イソプロパノール、炭酸エチル、酢酸エチル、ベンジルアルコール、ベンジルベンゾアート、プロピレングリコール、１，３−ブチルグリコール、オイル、とりわけ綿実油、ピーナッツ油、小麦胚芽油、オリーブ油、ヒマシ油、及びゴマ油、グリセリン脂肪酸エステル、ポリエチレングリコール、及びソルビタンの脂肪酸エステル、又はこれらの物質の混合物を含んでいてもよい。
【００５０】
懸濁液は、液体希釈剤（例えば水、エタノール、又はプロピレングリコール）、懸濁化剤（例えばエトキシ化イソステアリルアルコール、ポリオキシエチレンソルビトールエステル及びポリオキシエチレンソルビタンエステル、微結晶セルロース、メタ水酸化アルミニウム、ベントナイト、アガーアガー、及びトラガカント）、又はこれらの物質の混合物などの、慣例的な賦形剤を含んでいてもよい。
【００５１】
石鹸は、脂肪酸のアルカリ金属塩、脂肪酸モノエステルの塩、脂肪酸タンパク質加水分解物、イソチオナート、ラノリン、脂肪アルコール、植物油、植物抽出物、グリセロール、糖類、又はこれらの物質の混合物などの、慣例的な賦形剤を含んでいてもよい。
【００５２】
界面活性剤含有クレンジング製品は、脂肪アルコールサルフェートの塩、脂肪アルコールエーテルサルフェート、スルホコハク酸モノエステル、脂肪酸タンパク質加水分解物、イソチオナート、イミダゾリニウム誘導体、メチルタウラート、サルコシナート、脂肪酸アミドエーテルサルフェート、アルキルアミドベタイン、脂肪アルコール、脂肪酸グリセリド、脂肪酸ジエタノールアミド、植物油及び合成油、ラノリン誘導体、エトキシ化グリセロール脂肪酸エステル、又はこれらの物質の混合物などの、慣例的な賦形剤を含んでいてもよい。
【００５３】
顔及び体用のオイルは、合成オイル（例えば、脂肪酸エステル、脂肪アルコール、シリコーンオイルなど）、天然オイル（植物油及び油性植物抽出物、パラフィン油、ラノリン油など）、又はこれらの物質の混合物などの、慣例的な賦形剤を含んでいてもよい。
【００５４】
化粧品調製物は様々な形態で存在してもよい。そのため、化粧品調製物は例えば、溶液、水フリー調製物、油中水（Ｗ／Ｏ）型若しくは水中油（Ｏ／Ｗ）型の、エマルション又はマイクロエマルション、多重エマルション（例えば水中油中水（Ｗ／Ｏ／Ｗ）型）、ジェル、固形スティック、軟膏、又はエアロゾルであってもよい。エクトインを、例えばコラーゲン基質及び他の従来型のカプセル化材料中に（例えばセルロースカプセル化として、ゼラチン、ワックス基質中に、又はリポソーム中にカプセル化して）、カプセル化した形態で施すこともまた有利である。とりわけ、ＤＥ−Ａ４３０８２８２に記載されるようなワックス基質が好都合であることがわかっている。好ましいのはエマルションである。Ｏ／Ｗエマルションがとりわけ好ましい。エマルション、Ｗ／Ｏエマルション、及びＯ／Ｗエマルションは従来の方法で得ることができる。
【００５５】
さらなる実施形態は、天然又は合成オイル及びワックス、ラノリン、脂肪酸エステル、とりわけ脂肪酸のトリグリセリドをベースとする油性ローション、あるいは、エタノールなどの低級アルコール、又はプロピレングリコールなどのグリセロール、及び／又はグリセロールなどのポリオール、及びオイル、ワックス、及び脂肪酸のトリグリセリドなどの脂肪酸エステルをベースとする油性アルコール性ローションである。
【００５６】
固形スティックは、天然又は合成のワックス及びオイル、脂肪アルコール、脂肪酸、脂肪酸エステル、ラノリン、及び他の脂肪性物質から成る。
【００５７】
調製物がエアロゾルとして調合される場合、アルカン、フルオロアルカン、及びクロロフルオロアルカンなどの慣例的な高圧ガスが一般に用いられる。
【００５８】
光防護特性を有する化粧品配合物は、界面活性剤、増粘剤、ポリマー、軟化剤、保存料、泡安定剤、電解質、有機溶媒、シリコーン誘導体、オイル、ワックス、アンチグリース剤（ａｎｔｉｇｒｅａｓｅ  ａｇｅｎｔ）、組成物自体若しくは髪を着色する染料及び／又は顔料、又は化粧品分野で通常使用される他の成分などの、補助剤を含んでいてもよい。
【００５９】
このように本発明はさらに、吸収剤、収斂剤、抗菌物質、抗酸化剤、制汗剤、消泡剤、フケ防止活性成分、静電気防止剤、バインダー、生物系添加剤、漂白剤、キレート剤、防臭剤、皮膚軟化剤、乳化剤、乳化安定剤、染料、保湿剤、フィルム形成剤、フィラー、香気物質、香味物質、防虫剤、保存料、腐食防止剤、化粧品オイル、溶媒、酸化剤、植物性成分、緩衝物質、還元剤、界面活性剤、高圧ガス、乳白剤、紫外フィルター及び紫外線吸収剤、変性剤、粘度調節剤、香料、及びビタミンの群から選択される少なくとも１つの成分と組み合わせて本発明による顔料混合物を含む配合物にも関する。
【００６０】
加えて、本発明による顔料混合物は、当業者に公知のあらゆる用途のフィルム及びプラスチック、ギフト用ホイル、プラスチック容器及び成型品において使用することができる。本発明によるフィラー顔料を組み込むのに適したプラスチックは、あらゆる一般的なプラスチック、例えば熱硬化性樹脂又は熱可塑性物質である。可能性のある用途及び使用することができるプラスチック、加工方法、及び添加剤について、例えば、ＲＤ４７２００５又はＲ．Ｇｌａｕｓｃｈ、Ｍ．Ｋｉｅｓｅｒ、Ｒ．Ｍａｉｓｃｈ、Ｇ．Ｐｆａｆｆ、Ｊ．Ｗｅｉｔｚｅｌ、Ｐｅｒｌｇｌａｎｚｐｉｇｍｅｎｔｅ［Ｐｅａｒｌｅｓｃｅｎｔ  Ｐｉｇｍｅｎｔｓ］、Ｃｕｒｔ  Ｒ．Ｖｉｎｃｅｎｔｚ  Ｖｅｒｌａｇ、１９９６、８３ページ以下に記載されており、その開示内容もまた本明細書に組み込まれる。
【００６１】
本発明による顔料混合物は同様に、有機染料及び／又は顔料（例えば、透明及び不透明な白色、有色、及び黒色顔料など）と共に、並びに、マイカ、ガラス、Ａｌ2Ｏ3、Ｆｅ2Ｏ3、ＳｉＯ2、金属フレークなどをベースとする、金属酸化物で被覆したフレークをベースとした、フレーク形酸化鉄、ＢｉＯＣｌ、有機顔料、ホログラフィック顔料、ＬＣＰ（液晶高分子）、及び従来型の透明、有色、及び黒色の光沢顔料と共に混合して、上記の利用領域で使用するのに適している。本発明によるフィラー顔料は、市販の顔料及びフィラーと任意の比率で混合することができる。
【００６２】
本発明による顔料混合物はさらに、前記顔料混合物、バインダー、及び場合により１つ又は複数の添加剤を含む、流動性の顔料組成物及び乾燥調製物の調製に適している。乾燥調製物はまた、０〜８重量％、好ましくは２〜８重量％、とりわけ３〜６重量％の水、及び／又は溶媒、又は溶媒混合物を含む調製物を意味するものとみなされる。乾燥調製物は好ましくはペレット、顆粒、チップ、ソーセージ状物、又はブリケットの形態であり、粒径が０．２〜８０ｍｍである。乾燥調製物はとりわけ、印刷用インクの調製及び化粧品配合物において使用される。
【００６３】
さらに詳細に説明することなく、当業者は先の記述を用いて本発明をその最大限の範囲まで利用することができると考えられる。
【００６４】
このように本発明はまた、本発明による混合物を含む配合物にも関する。
【００６５】
したがって、下記の好ましい具体的な実施形態は、単に例示的なものとして解釈されるべきであり、本開示の残りの部分をどのような形であれ制限するものではない。
【００６６】
以下にある下記の例は本発明を説明することを意図しているが、それを制限しない。パーセンテージは、別途注記されない限り、重量による。例において、すべての温度は独立してセ氏温度で示され；別途示されない限り、すべての部及びパーセンテージは重量による。
【００６７】
例
例１：天然マイカの処理
２００ｇの量の２〜１９μｍの粒径の湿式粉砕した天然マスコバイトマイカ（ｍｕｓｃｏｖｉｔｅ  ｍｉｃａ）を、６５℃の脱イオン水中で撹拌することにより、およそ１０％にて懸濁させる。２％のステアリン酸マグネシウムを形成するのに十分である、４．０ｇの量のステアリン酸ナトリウム（Ｂｒｅｎｎｔａｇ）を投入し溶解させる。続いて１．３ｇの塩化マグネシウム（六水和物）を投入する。析出したステアリン酸マグネシウムの懸濁液を、脱イオン水で水簸して沈降及び又はろ過により塩化ナトリウム塩を除去することができ、次いで湿った混合物を乾燥させ、生成物は混合できる状態になる。
【００６８】
処理した天然マイカは、非常に良好な肌感触を示す。
【００６９】
例２：合成マイカの処理
天然マイカの代わりに粒径５〜２５μｍの合成マイカを用いる以外は、例１で用いた方法を繰り返す。
【００７０】
処理した合成マイカは、非常に良好な肌感触を示す。
【００７１】
例３：４９％合成マイカ／５０％ＢｉＯＣｌ／１％ステアリン酸マグネシウムの混合物
例２に従って処理したマイカを、化粧品グレードのＢｉＯＣｌと同じ重量で、実験室用ブレンダー（Ｗａｒｉｎｇ又はＯｓｔｅｒ）中で混合する。
【００７２】
例４：６８．６％合成マイカ／１５％ＢｉＯＣｌ／１５％ＺｎＯ／１．４％ステアリン酸マグネシウムの混合物
例２に従って処理したマイカを、総重量に対して７０％で、１５％の化粧品グレードのＢｉＯＣｌ及び１５％の化粧品グレードの酸化亜鉛と共に、実験室用ブレンダー（Ｗａｒｉｎｇ又はＯｓｔｅｒ）中で混合する。
【００７３】
使用例
使用例１：ルースパウダーアイシャドー
【００７４】
【表１】
2010270330.tif 000002
【００７５】
調製：
相Ａの成分を均一に混合する。撹拌しながら相Ｂを加える。
【００７６】
供給元：
（１）Ｍｅｒｃｋ  ＫＧａＡ
（２）Ｌｕｚｅｎａｃ
（３）Ａｒｇｏ  Ｂｒａｎｄ  Ｃｏｒｎ  Ｓｔａｒｃｈ／Ｃｏｒｎ  Ｐｒｏｄｕｃｔｓ
（４）Ｓｐｅｃｔｒｕｍ  Ｃｈｅｍｉｃａｌ
（５）Ｐｈｏｅｎｉｘ  Ｃｈｅｍｉｃａｌ。
【００７７】
使用例２：鉱物メーキャップ品
【００７８】
【表２】
2010270330.tif 000003
【００７９】
調製：
相Ａの成分を均一に混合する。
【００８０】
供給元：
（１）Ｓｕｎ  Ｃｈｅｍｉｃａｌ
（２）Ｍｅｒｃｋ  ＫＧａＡ。
【００８１】
例３：アイペンシル
【００８２】
【表３】
2010270330.tif 000004
【００８３】
調製：
相Ａのすべての成分を合わせ、均一になるまで撹拌しながら８０〜８５℃まで加熱する。相Ｂの成分を加える。凝集物が残らなくなるまで高速ミキサーで撹拌する。７０℃で注ぐ。
【００８４】
供給元：
（１）Ｌｕｚｅｎａｃ
（２）Ｃｒｏｄａ
（３）Ｐｈｏｅｎｉｘ  Ｃｈｅｍｉｃａｌ
（４）Ｃｏｇｎｉｓ
（５）Ｓｐｅｃｔｒｕｍ  Ｃｈｅｍｉｃａｌ
（６）Ｍｅｒｃｋ  ＫＧａＡ。
【００８５】
例４：固形アイシャドー
【００８６】
【表４】
2010270330.tif 000005
【００８７】
調製：
相Ａの成分を合わせる。ハンマーミルで粉砕し、０．０２７インチ（０．６９ｍｍ）のヘリングボーンスクリーン（ｈｅｒｒｉｎｇ  ｂｏｎｅ  ｓｃｒｅｅｎ）に２回通す。静かに撹拌しながら相Ｂを加える。相Ｃを混合しながら合わせ；７０℃まで加熱する。バルクを撹拌しながら相Ｃをバッチへスプレーする。バッチ全体をジャンプギャップ（ｊｕｍｐ  ｇａｐ）に通す。静かに混ぜ、加圧してディスクとする。
【００８８】
供給元：
（１）Ｌｕｚｅｎａｃ
（２）Ｎａｔｉｏｎａｌ  Ｓｔａｒｃｈ  ＆  Ｃｈｅｍｉｃａｌ
（３）Ｂｒｅｎｎｔａｇ  ＢＳＩ
（４）Ｍｅｒｃｋ  ＫＧａＡ
（５）Ｉｎｏｌｅｘ
（６）Ｃｏｇｎｉｓ
（７）Ｐｅｎｒｅｃｏ
（８）Ｓｐｅｃｔｒｕｍ  Ｃｈｅｍｉｃａｌ。
【００８９】
例５：クリーム状アイシャドー
【００９０】
【表５】
2010270330.tif 000006
【００９１】
調製：
相Ｂをすべてが融解するまで約８０℃で加熱し、６５℃まで冷却する。次いで相Ａの成分を撹拌しながら加え、完成したアイシャドーをまだ液体のうちに容器に詰める。
【００９２】
供給元：
（１）Ｍｅｒｃｋ  ＫＧａＡ
（２）Ｃｒｏｄａ
（３）Ｈｕｌｓ  ＡＧ
（４）ＩＳＰ  Ｅｕｒｏｐｅ。
【００９３】
例６：リップパウダー
【００９４】
【表６】
2010270330.tif 000007
【００９５】
調製：
相Ａの成分を合わせ、あらかじめ混ぜる。続いて、溶融した相Ｂを粉末混合物へ撹拌しながら滴下して加える。粉末を４０〜５０バール（４〜５ＭＰａ）で加圧（プレス）する。
供給元：
（１）Ｍｅｒｃｋ  ＫＧａＡ
（２）Ｈｅｎｋｅｌ  ＫＧａＡ
（３）Ｄｏｗ  Ｃｏｒｎｉｎｇ。
【外国語明細書】
2010270330.tif 000008
2010270330.tif 000009
2010270330.tif 000010
2010270330.tif 000011
2010270330.tif 000012
2010270330.tif 000013
2010270330.tif 000014
2010270330.tif 000015
2010270330.tif 000016
2010270330.tif 000017
2010270330.tif 000018
2010270330.tif 000019
2010270330.tif 000020
2010270330.tif 000021
2010270330.tif 000022
2010270330.tif 000023
2010270330.tif 000024
2010270330.tif 000025
2010270330.tif 000026
2010270330.tif 000027
2010270330.tif 000028
2010270330.tif 000029
2010270330.tif 000030
2010270330.tif 000031
2010270330.tif 000032
2010270330.tif 000033